(57)【要約】【課題】安定して動物を撃退できる動物撃退装置を提供する。【解決手段】動物撃退装置は、突出して取付けられた回転軸部３の突出方向を中心に回転軸部３を回転させることが可能な駆動部２と、ボルト１２とナット１３で駆動部２に着脱可能に固定された落下防止板受け部４と、回転軸部３と同軸上に貫通して落下防止板受け部４に形成された貫通孔に挿通された、かつ、回転軸部３と同軸上に、回転軸部３に留ビス７で着脱可能に取付けられたセットカラー５と、セットカラー５の外側表面に突出して着脱可能に取付けられた落下防止板８と、セットカラー５に取付けられた回転台６とを備える。留ビス７が緩んでセットカラー５と共に回転台６が駆動部２から離れる方向へ移動しても、落下防止板８が落下防止板受け部４に当接し、セットカラー５と回転台６が、駆動部２から離れる方向へ移動することを制限できる。【選択図】図２
2016214209.tif 000002
【特許請求の範囲】
【請求項１】
突出して取付けられた回転軸部の突出方向を中心に同回転軸部を回転させることが可能な駆動部と、
前記回転軸部の突出方向に対して略直交する方向に配置される、かつ、同回転軸部の回転中心と同軸上に貫通した貫通孔が形成された、かつ、前記駆動部に固定される第１の部材と、
前記貫通孔に挿通される、かつ、前記回転軸部と同軸上に同回転軸部に取付けられる伝達部と、
前記回転軸部の突出方向に対して略直交する方向に突出して前記伝達部に取付けられる、かつ、前記第１の部材と前記駆動部との間に配置される、かつ、前記貫通孔の周辺領域と対向する第２の部材と、
前記伝達部に取付けられる、かつ、前記第１の部材を挟んで前記第２の部材とは反対側に配置される回転台と、
前記回転軸部の突出方向に対して略直交する方向に突出して前記回転台に取付けられる突出部とを備える
動物撃退装置。
【請求項２】
前記回転軸部の回転開始から所定の時間経過後に、所定の時間、前記駆動部に同回転軸部の回転を停止させた後に同駆動部に同回転軸部を再び回転させる制御が可能であり、かつ、同回転軸部の突出方向を中心に回転した前記突出部が所定の力を加えられた場合に、同駆動部に同回転軸部の回転を停止させる制御が可能であり、かつ、同回転軸部の回転よりも同回転軸部の停止を優先する制御が可能な制御部を備える
請求項１に記載の動物撃退装置。
【請求項３】
前記第１の部材は、前記駆動部に着脱可能に固定され、
前記伝達部は、前記回転軸部に着脱可能に取付けられ、
前記第２の部材は、前記伝達部に着脱可能に取付けられる
請求項１または請求項２に記載の動物撃退装置。
【請求項４】
前記突出部は伸縮可能である
請求項１、請求項２または請求項３に記載の動物撃退装置。
【発明の詳細な説明】
【技術分野】
【０００１】
本発明は動物撃退装置に関する。詳しくは、例えば、倉庫の天井に設置されてカラスを撃退するための動物撃退装置に係るものである。
【背景技術】
【０００２】
カラスなどの害獣を追い払うために、古くから田畑に案山子が設置されてきた。また、巨大な目玉を模した風船が田畑に設置されることもあった。
【０００３】
しかし、カラスは学習能力が高いため、動かない案山子や目玉の風船は無害なものと認識してしまった後は、カラスに対する撃退効果がなくなっていた。
【０００４】
そこで、カラスなどの害獣を撃退するための様々な装置が提案されてきた。例えば特許文献１には、図７に示すような鳥害防止装置が記載されている。
すなわち、特許文献１に記載の鳥害防止装置１０１は、円柱状の支柱１０２と、支柱１０２の上端に固定された駆動部１０３とを備える。
【０００５】
また、支柱１０２の下端は稲田などに埋め込まれ、支柱１０２は鉛直に立設される。
また、鳥害防止装置１０１は、駆動部１０３の上面に取付けられた、かつ、支柱１０２の軸心と一致した回転軸１０４と、回転軸１０４に連結された回転板１０５とを備える。
また、鳥害防止装置１０１は、回転体１０５の周端から突出して取付けられた、かつ、ピアノ線材で形成された棒状の２つの回転体１０６を備える。
【０００６】
また、回転体１０６の先端にはそれぞれ猛禽類模型体１０７Ａが取付けられている。
また、回転体１０６には、プラスチックフィルム１０７Ｂが吊り下げられている。
【先行技術文献】
【特許文献】
【０００７】
【特許文献１】特開２００３−２０４７５１号公報
【発明の概要】
【発明が解決しようとする課題】
【０００８】
ところで、収穫された穀物は倉庫に保管されることがあるが、倉庫内にカラスが侵入し、保管された穀物が食い荒らされることがある。
そこで、回転板を地表面に向けて、倉庫の天井に特許文献１に記載の装置を設置することが考えられる。
しかし、回転板を地表面に向けて、倉庫の天井に特許文献１に記載の装置を設置すると、回転板が回転軸から外れて落下するおそれがあり、安定してカラスなどを撃退できないおそれがある。
【０００９】
本発明は、以上の点に鑑みて創案されたものであり、安定して動物を撃退できる動物撃退装置を提供することを目的とする。
【課題を解決するための手段】
【００１０】
上記の目的を達成するために、本発明の動物撃退装置は、突出して取付けられた回転軸部の突出方向を中心に同回転軸部を回転させることが可能な駆動部と、前記回転軸部の突出方向に対して略直交する方向に配置される、かつ、同回転軸部の回転中心と同軸上に貫通した貫通孔が形成された、かつ、前記駆動部に固定される第１の部材と、前記貫通孔に挿通される、かつ、前記回転軸部と同軸上に同回転軸部に取付けられる伝達部と、前記回転軸部の突出方向に対して略直交する方向に突出して前記伝達部に取付けられる、かつ、前記第１の部材と前記駆動部との間に配置される、かつ、前記貫通孔の周辺領域と対向する第２の部材と、前記伝達部に取付けられる、かつ、前記第１の部材を挟んで前記第２の部材とは反対側に配置される回転台と、前記回転軸部の突出方向に対して略直交する方向に突出して前記回転台に取付けられる突出部とを備える。
【００１１】
ここで、突出して取付けられた回転軸部の突出方向を中心に回転軸部を回転させることが可能な駆動部によって、回転軸部に取付けられた物を回転軸部の突出方向を中心に回転させることができる。
また、貫通孔に挿通される、かつ、回転軸部と同軸上に回転軸部に取付けられる伝達部によって、回転軸部の回転力を回転台および突出部に伝達して、回転台および突出部を回転させることができる。
【００１２】
また、回転軸部の突出方向に対して略直交する方向に配置される、かつ、回転軸部の回転中心と同軸上に貫通した貫通孔が形成された、かつ、駆動部に固定される第１の部材と、回転軸部の突出方向に対して略直交する方向に突出して伝達部に取付けられる、かつ、第１の部材と駆動部との間に配置される、かつ、貫通孔の周辺領域と対向する第２の部材とによって、駆動部から離れる方向への第２の部材の移動を制限できる。
すなわち、第２の部材が突出して取付けられる伝達部と、伝達部に取付けられる回転台と、回転台に突出して取付けられる突出部とが、駆動部から離れる方向へ移動することを制限できる。
【００１３】
また、伝達部に取付けられる、かつ、第１の部材を挟んで第２の部材とは反対側に配置される回転台によって、第１の部材に制限されることなく回転軸部の回転力に基づいて回転できる。
【００１４】
また、回転軸部の突出方向に対して略直交する方向に突出して回転台に取付けられる突出部によって、回転軸部を中心とした一定領域に、動物にとっての障害物を一定周期で配置することができる。
【００１５】
また、本発明の動物撃退装置は、回転軸部の回転開始から所定の時間経過後に、所定の時間、駆動部に回転軸部の回転を停止させた後に駆動部に回転軸部を再び回転させる制御が可能であり、かつ、回転軸部の突出方向を中心に回転した突出部が所定の力を加えられた場合に、駆動部に回転軸部の回転を停止させる制御が可能であり、かつ、回転軸部の回転よりも回転軸部の停止を優先する制御が可能な制御部を備えるものとすることができる。
【００１６】
この場合、駆動部の耐用年数の低減を回避できる。
【００１７】
また、本発明の動物撃退装置において、第１の部材は、駆動部に着脱可能に固定され、伝達部は、回転軸部に着脱可能に取付けられ、第２の部材は、伝達部に着脱可能に取付けられるものとすることができる。
【００１８】
この場合、第１の部材、伝達部および第２の部材の取替え交換や補修を行ない易い。
【００１９】
また、本発明の動物撃退装置において、突出部は伸縮可能であるものとすることができる。
この場合、回転軸部を中心とした一定領域の大きさを変更することができる。
【発明の効果】
【００２０】
本発明に係る動物撃退装置は、安定して動物を撃退できる。
【図面の簡単な説明】
【００２１】
【図１】本発明を適用した動物撃退装置の一例を示す概略正面図である。
【図２】図１に示した本発明を適用した動物撃退装置の一部を拡大した概略部分拡大図である。
【図３】本発明を適用した動物撃退装置の留ビスが緩んだときの状態を示す概略部分拡大図である。
【図４】図３のＺ−Ｚ線に沿って切断されたときの本発明を適用した動物撃退装置の概略部分断面図である。
【図５】図１に示した本発明を適用した動物撃退装置の概略平面図である。
【図６】図１に示した本発明を適用した動物撃退装置が穀物倉庫の天井部に取付けられた状態の一例を示す概略図である。
【図７】従来の鳥害防止装置を示す概略図である。
【発明を実施するための形態】
【００２２】
以下、本発明の実施の形態について図面を参照しながら説明し、本発明の理解に供する。
図１は、本発明を適用した動物撃退装置の一例を示す概略正面図である。また、図２は、図１に示した本発明を適用した動物撃退装置の一部を拡大した概略部分拡大図である。
【００２３】
また、図３は、本発明を適用した動物撃退装置の留ビスが緩んだときの状態を示す概略部分拡大図である。また、図４は、図３のＺ−Ｚ線に沿って切断されたときの本発明を適用した動物撃退装置の概略部分断面図である。
【００２４】
本発明の動物撃退装置１は、突出して取付けられた回転軸部３の突出方向を中心に回転軸部３を回転させることが可能な駆動部２を備える。
【００２５】
また、駆動部２の、回転軸部３が突出した面とは反対側の面には、図示していない電源からの電気を駆動部２へ送るためのコネクタメス端子１１を支持するコネクタメス端子台１１Ａが取付けられている。
【００２６】
また、本発明の動物撃退装置１は、ボルト１２とナット１３で駆動部２に着脱可能に固定された落下防止板受け部４を備える。
また、図２および図３に示すように、落下防止板受け部４は、ボルト１２とナット１３により、駆動部２の表面から一定の間隔を空けて駆動部２に固定されている。
ここで、落下防止板受け部４は、図２や図４から判るように略四角形状を有する平板である。
【００２７】
また、落下防止板受け部４は回転軸部３の突出方向に対して略直交する方向に配置されている。
また、落下防止板受け部４には、回転軸部３の回転中心と同軸上に貫通した貫通孔１４が形成されている。
ここで、落下防止板受け部は、第１の部材の一例である。
【００２８】
また、本発明の動物撃退装置１は、貫通孔１４に挿通された、かつ、回転軸部３と同軸上に、回転軸部３に留ビス７で着脱可能に取付けられたセットカラー５を備える。
ここで、セットカラー５は伝達部の一例である。
【００２９】
また、本発明の動物撃退装置１は、セットカラー５の外側表面に突出して着脱可能に取付けられた平板形状の落下防止板８を備える。
すなわち、落下防止板８は、回転軸部３の突出方向に対して略直交する方向に突出してセットカラー５に着脱可能に取付けられている。
【００３０】
ここで、落下防止板８は、回転軸部３の突出方向に対して略平行な方向で落下防止板受け部４と駆動部２との間に配置されている。
また、落下防止板８は、落下防止板受け部４に対して略平行に配置されている。
【００３１】
また、落下防止板８は、回転軸部３の突出方向に対して略平行な方向で、貫通孔１４の周辺領域、すなわち貫通孔１４が形成されていない落下防止板受け部４の領域と対向している。
【００３２】
ここで、図４に示すように、回転軸部３の突出方向に対して略直交する方向における落下防止板８の一方側の面積は、回転軸部３の突出方向に対して略直交する方向における落下防止板受け部４の一方側の面積より小さい。
【００３３】
また、図４に示すように、回転軸部３の突出方向に対して略直交する方向におけるセットカラー５の面積は、回転軸部３の突出方向に対して略直交する方向における貫通孔１４の面積よりも小さい。
また、図４に示すように、回転軸部３の突出方向に対して略直交する方向における落下防止板８の一方側の面積は、回転軸部３の突出方向に対して略直交する方向における貫通孔１４の面積より大きい。
【００３４】
ここで、落下防止板８は第２の部材の一例である。
また、図２に示すようにセットカラー５は、落下防止板８が落下防止板受け部４および駆動部２の表面それぞれから一定の距離離れて位置するように回転軸部３に取付けられている。
【００３５】
また、本発明の動物撃退装置１は、セットカラー５に取付けられた平板形状の回転台６を備える。
ここで、回転台６は、図２および図３に示すように、落下防止板受け部４を挟んで落下防止板８とは反対側に配置されている。
【００３６】
なお、回転台６を回転させることができるのであれば、必ずしも落下防止板８は、落下防止板受け部４および駆動部２の表面それぞれから一定の距離離れて位置しなくてもよく、落下防止板８は、落下防止板受け部４および駆動部２の表面それぞれに接していてもよい。
【００３７】
また、本発明の動物撃退装置１は、回転軸部３の突出方向に対して略直交する方向に突出して回転台６の一方側に取付けられた第１のサオ９を備える。
また、本発明の動物撃退装置１は、回転軸部３の突出方向に対して略直交する方向であると共に、第１のサオ９の突出方向とは反対方向に突出して回転台６の他方側に取付けられた第２のサオ１０を備える。
【００３８】
また、第１のサオ９および第２のサオ１０はそれぞれ、固定具６Ａで回転台６に取付けられている。
また、第１のサオ９および第２のサオ１０はそれぞれ、伸縮可能である。
また、第１のサオ９の長さ、および第２のサオ１０の長さはそれぞれ例えば２〜５ｍである。
【００３９】
また、図示していないが、第１のサオ９および第２のサオ１０それぞれの先端、すなわち第１のサオ９および第２のサオ１０それぞれの、セットカラー５に向いた端部である基端とは反対側の端部には、紐が吊り下げられている。
【００４０】
なお、必ずしも第１のサオおよび第２のサオそれぞれの先端に紐を吊り下げなくてもよいが、紐を吊り下げた方が、カラスなどを撃退する効果がより一層向上するので好ましい。
また、突出部は必ずしもサオでなくてもよく、回転軸部の突出方向に対して略直交する方向に突出して回転台に取付けられるものであれば、どのような形状のものでもよいことは勿論である。
【００４１】
また、本発明の動物撃退装置１は、このような落下防止板受け部４と落下防止板８を備えているので、留ビス７が緩んでセットカラー５と共に回転台６が駆動部２から離れる方向へ移動しても、すなわち下がっても、図３に示すように落下防止板８が落下防止板受け部４に当接する。
従って、セットカラー５と、回転台６と、第１のサオ９および第２のサオ１０が、駆動部２から離れる方向へ移動することを制限できる。
【００４２】
すなわち、本発明の動物撃退装置１を、回転台６を地面に向けて倉庫の天井部に設置しておいても、回転台６などが地面に落下するおそれがない。
なお、落下防止板８と落下防止板受け部４との間の距離は、留ビス７が緩んでセットカラー５が下がっても、セットカラー５が回転軸部３から完全に外れてしまわないほどの距離である。
【００４３】
図５は、図１に示した本発明を適用した動物撃退装置の概略平面図である。
前述のように、セットカラー５は回転軸部３に取付けられており、そしてセットカラー５には回転台６が取付けられており、さらに回転台６には第１のサオ９と第２のサオ１０が取付けられている。
【００４４】
従って、セットカラー５は回転軸部３の突出方向を中心とした回転力を回転台６と、第１のサオ９と、第２のサオ１０に伝達して、回転台６と、第１のサオ９と、第２のサオ１０を、図５に示すように正転方向２１または逆転方向２２へ回転させることができる。
【００４５】
また、回転台６と、第１のサオ９と、第２のサオ１０の１分間の回転数は特に制限されないが、駆動部２の疲弊を抑えるためには、１分間に７〜１２回転が好ましく、１分間に８〜１０回転がさらに好ましい。
【００４６】
図６は、図１に示した本発明を適用した動物撃退装置が穀物倉庫の天井部に取付けられた状態の一例を示す概略図である。
図６に示すように、本発明の動物撃退装置１の駆動部２の、回転軸部３が突出した面とは反対側の面に天板１６が取付けられている。
【００４７】
ここで、天板１６には、コネクタメス端子１１とコネクタメス端子台１１Ａが挿通した貫通孔が形成されており、天板１６が駆動部２に取付けられてもコネクタメス端子１１とコネクタメス端子台１１Ａは露出した状態である。
【００４８】
また、天板１６には、吊り下げ棒１７の一端が取付けられている。また、吊り下げ棒１７の他端にはＵ字形部材１８が取付けられている。
そして、穀物倉庫の天井部の桁または小屋梁である天井部Ｈ形鋼１９の縁部を、図６に示すようにＵ字形部材１８が挟むことで、本発明の動物撃退装置１を穀物倉庫の天井部に取付けることができる。
【００４９】
ここで、本発明の動物撃退装置１を穀物倉庫の天井部に取付けることができれば、必ずしもＵ字形部材１８を用いなくてもよく、任意の天板や吊り下げ具を用いることができるのは勿論である。
【００５０】
また、露出したコネクタメス端子１１には、配線２０の一端と電気的に接続されたコネクタオス端子１５が電気的に接続されている。
また、配線２０の他端は、制御部２３と電気的に接続されている。
すなわち、本発明の動物撃退装置１は、制御部２３を備える。また、制御部２３は、図示していない電源や、電源のオンとオフの切替えが可能な、図示していないスイッチを有する。
【００５１】
ここで、制御部２３は、回転軸部３の回転開始から所定の時間経過後に、所定の時間、駆動部２に回転軸部３の回転を停止させた後に駆動部２に回転軸部３を再び回転させる制御が可能である。
さらに制御部２３は、回転軸部の突出方向を中心に回転した第１のサオ９および第２のサオ１０が所定の力を加えられた場合に、駆動部２に回転軸部３の回転を停止させる制御が可能であり、かつ、回転軸部３の回転よりも回転軸部３の停止を優先する制御が可能である。
【００５２】
＜第１のサオ９および第２のサオ１０が所定の力を加えられない場合＞
回転軸部３の突出方向を中心に回転した第１のサオ９および第２のサオ１０が所定の力を加えられなければ、制御部２３は、回転軸部３の回転開始から例えば１５秒経過後に、例えば３０秒間、駆動部２に回転軸部３の回転を停止させ、その後に、駆動部２に回転軸部３を再び回転させる制御を行う。
【００５３】
そして制御部２３は、回転軸部３が再び回転を始めてから１５秒経過後に、３０秒間、駆動部２に回転軸部３の回転を停止させ、その後に、駆動部２に回転軸部３を再び回転させる制御を行う。
【００５４】
つまり、制御部２３は、１５秒間の回転と３０秒間の停止を繰り返す制御を行う。
また、ここで示す秒数は一例であり、この秒数に限定されないことは勿論である。
【００５５】
＜第１のサオ９および第２のサオ１０が１度だけ所定の力を加えられた場合＞
回転軸部３の突出方向を中心にして、第１のサオ９および第２のサオ１０が回転を始めてから例えば５秒後に、第１のサオ９および第２のサオ１０が１度だけ強い風を受けた場合すなわち所定の力を加えられた場合、制御部２３は、駆動部２に回転軸部３の回転を停止させる制御を行う。
【００５６】
また、制御部２３は、回転軸部３の回転開始から１５秒経過後に３０秒間、駆動部２に回転軸部３の回転を停止させた後に駆動部２に回転軸部３を再び回転させる制御を行うので、第１のサオ９および第２のサオ１０が１度だけ強い風を受けて停止した回転軸部３は、制御部２３が回転軸部３を再び回転させるまで停止したままである。
【００５７】
そして、制御部２３が駆動部２に回転軸部３を再び回転させる制御を行った後は、１５秒間の回転と３０秒間の停止を繰り返す制御を行う。
【００５８】
また、回転軸部３の突出方向を中心にして、第１のサオ９および第２のサオ１０が回転を始めてから例えば１秒後または１４秒後に、第１のサオ９および第２のサオ１０が１度だけ強い風を受けた場合も同様に、制御部２３は、駆動部２に回転軸部３の回転を停止させる制御を行う。
【００５９】
また、第１のサオ９および第２のサオ１０が１度だけ強い風を受けて停止した回転軸部３は、制御部２３が回転軸部３を再び回転させるまで停止したままである。
そして、制御部２３が駆動部２に回転軸部３を再び回転させる制御を行った後は、１５秒間の回転と３０秒間の停止を繰り返す制御を行う。
【００６０】
＜第１のサオ９および第２のサオ１０が所定の力を加え続けられた場合＞
回転軸部３の突出方向を中心にして、第１のサオ９および第２のサオ１０が回転を始めてから例えば８秒後に、第１のサオ９および第２のサオ１０が所定の力を加えられ、その後、所定の力を加え続けられていれば、制御部２３は駆動部２に回転軸部３を再び回転させる制御を行わない。
制御部２３は、回転軸部３の回転よりも回転軸部３の停止を優先する制御を行うからである。
【００６１】
また、本発明の動物撃退装置は、必ずしも制御部を備えていなくてもよい。
しかし、本発明の動物撃退装置が制御部を備えていれば、強い負荷がかかる状況でも常に駆動部を作動させて回転軸部を回転させるわけではないので、駆動部の耐用年数の低減を回避でき、好ましい。
【００６２】
また、落下防止板受け部すなわち第１の部材は、必ずしも駆動部に着脱可能に固定されていなくてもよい。
また、伝達部は、必ずしも回転軸部に着脱可能に取付けられていなくてもよい。
また、落下防止板すなわち第２の部材は、必ずしも伝達部に着脱可能に取付けられていなくてもよい。
【００６３】
しかし、第１の部材が駆動部に着脱可能に固定され、伝達部が回転軸部に着脱可能に取付けられ、さらに第２の部材が伝達部に着脱可能に取付けられていれば、第１の部材、伝達部および第２の部材の取替え交換や補修を行ない易いので好ましい。
【００６４】
また、第１のサオおよび第２のサオ、すなわち突出部は必ずしも伸縮可能でなくてもよい。
しかし、突出部が伸縮可能であれば、回転軸部を中心とした一定領域の大きさを変更することができるので好ましい。
【００６５】
また、本発明の動物撃退装置１を使用する場合は、例えば図６に示すように、本発明の動物撃退装置１を穀物倉庫の天井部の桁または小屋梁である天井部Ｈ形鋼１９に取付けて使用する。
【００６６】
また、本発明の動物撃退装置１を天井部Ｈ形鋼１９に取付けた状態で、第１のサオ９と第２のサオ１０はそれぞれ、基端から先端に向けて緩やかに地面の方へ曲がっている。
また、本発明の動物撃退装置１を天井部Ｈ形鋼１９に取付けた状態で、第１のサオ９と第２のサオ１０それぞれの先端が、成人男性の頭の位置よりも高い位置にあるようにする。
【００６７】
そして、スイッチをオンにして、回転軸部３の突出方向を中心に回転軸部３を回転させる。すなわち、回転台６と、回転台６に取付けられた第１のサオ９と、同じく回転台６に取付けられた第２のサオ１０とを回転させる。
【００６８】
こうすることで、カラスなどの害獣は第１のサオ９や第２のサオ１０に当たることを嫌がるので、カラスなどを穀物倉庫から追い払うことができる。
【００６９】
また、第１のサオ９と第２のサオ１０それぞれの先端に吊り下げられた紐の長さが、本発明の動物撃退装置１を穀物倉庫などの天井に取付けた状態で、地面に接触するほどの長さであれば、本発明の動物撃退装置は地面を歩くイノシシなどを穀物倉庫から追い払うこともできる。
【００７０】
また、穀物倉庫に限らず、例えば畜舎の天井にも本発明の動物撃退装置を取付けて使用することができる。
【００７１】
以上のように、本発明の動物撃退装置は、回転軸部の突出方向に対して略直交する方向に配置される、かつ、回転軸部の回転中心と同軸上に貫通した貫通孔が形成された、かつ、駆動部に固定される第１の部材と、回転軸部の突出方向に対して略直交する方向に突出して伝達部に取付けられる、かつ、第１の部材と駆動部との間に配置される、かつ、貫通孔の周辺領域と対向する第２の部材を備えているので、第２の部材が突出して取付けられる伝達部と、伝達部に取付けられる回転台と、回転台に突出して取付けられる突出部とが、駆動部から離れる方向へ移動することを制限できる。
【００７２】
従って、回転軸部と伝達部との結合が緩んで伝達部と回転台が駆動部から離れる方向へ移動しても、すなわち伝達部と回転台が下がっても、第２の部材が第１の部材に当接して、それ以上の移動を防止し、回転台が落下するおそれがなく、また、回転軸部の回転力を、伝達部を介して回転台や突出部に伝え続けることができるので、本発明の動物撃退装置は、安定して動物を撃退できる。
【符号の説明】
【００７３】
１    動物撃退装置
２    駆動部
３    回転軸部
４    落下防止板受け部
５    セットカラー
６    回転台
６Ａ  固定具
７    留ビス
８    落下防止板
９    第１のサオ
１０    第２のサオ
１１    コネクタメス端子
１１Ａ  コネクタメス端子台
１２    ボルト
１３    ナット
１４    貫通孔
１５    コネクタオス端子
１６    天板
１７    吊り下げ棒
１８    Ｕ字形部材
１９    天井部Ｈ形鋼
２０    配線
２１    正転方向
２２    逆転方向
２３    制御部
【図１】
2016214209.tif 000003
【図２】
2016214209.tif 000004
【図３】
2016214209.tif 000005
【図４】
2016214209.tif 000006
【図５】
2016214209.tif 000007
【図６】
2016214209.tif 000008
【図７】
2016214209.tif 000009